(57)【要約】【課題】本発明は、機密事項に関する会議や、学習塾などでも利用可能な電子黒板装置を提供することを目的としている。【解決手段】本発明は、上記課題を解決するため、筆記面を全面印刷する通常のモードと、所定のマーカーの筆記部分のみ非印刷とする秘密印刷モードを設けることを特徴としている。また、所定マーカーを他のマーカーと識別可能として、電子黒板装置へ筆記する利用者に対して、マーカーが特殊なものであることを容易に認識させることが可能であると共に、秘密印刷モードを選択しない場合は、通常の電子黒板装置と変わらず、どのようなマーカーの筆記であっても、印刷動作を行うことを特徴としている。【選択図】図２
2008221818.tif 000002
【特許請求の範囲】
【請求項１】
筆記シートにマーカーによって筆記された画像を読取装置で読取る電子黒板装置において、前記読取り装置は所定の色の筆記を選択的に読取らない機能を有することを特徴とする電子黒板装置。
【請求項２】
前記所定の色は青色、緑色、又は赤色であることを特徴とする請求項１項記載の電子黒板装置。
【請求項３】
前記非読取り用のマーカーは、他のマーカーと区別した外形或いは模様を付していることを特徴とする請求項１項記載の電子黒板装置。
【請求項４】
前記読み取り装置は、筆記画像の画素の色成分を分析し、非読み取り色の成分が所定値以上であり、その他の色成分が所定値以下である画素を読取らないように動作することを特徴とする請求項１項記載の電子黒板装置。
【発明の詳細な説明】
【技術分野】
【０００１】本発明は、会議などで用いられる電子黒板装置に関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】電子黒板装置は、本来的に利用者がマーカーによって筆記するものであり、会議において検討した課題や解決手段あるいは構想や日程、計画案などを筆記し、会議終了後、会議の参加者に筆記内容を議事録として配布するため、この筆記面を画像情報として読取り、印刷する機能を有している。【０００４】
【特許文献１】特開平１０−３３６３６８号
【発明の開示】
【発明が解決しようとする課題】
【０００５】上記特許文献１は、筆記面を部分的に見えなくするように、筆記面をカラーフィルタで覆う技術が示されている。
これは、電子黒板装置を見るときだけ所定の部分を見える状態と見えない状態に切り替えるものであり、印刷時は筆記面をそのまま印刷するものである。【０００６】しかしながら、例えば、学習塾などで、問題を電子黒板に筆記し、生徒に問題を考えさせ、その後教師によりその問題に対する解答を筆記することがある。
このようなとき、復習のために問題文だけ印刷して配布したい場合、回答箇所を消去してから印刷しなければならなかった。
【課題を解決するための手段】
【０００７】上記課題を解決するため、本発明は、筆記面を全面印刷する通常のモードと、所定のマーカーの筆記部分のみ非印刷とする秘密印刷モードを設けることを特徴としている。【０００８】また、所定マーカーを他のマーカーと識別可能として、電子黒板装置へ筆記する利用者に対して、マーカーが特殊なものであることを容易に認識させることが可能であると共に、秘密印刷モードを選択しない場合は、通常の電子黒板装置と変わらず、どのようなマーカーの筆記であっても、印刷動作を行うことを特徴としている。
【発明の効果】
【０００９】本発明によれば、例えば、アイソレーションブース方式と言われるような、社内でも、特定の人のみに情報を開示可能とする機密管理方式を採用している場合、その特定の人用に全て印刷された書面を配布し、その他の人には秘密情報（所定マーカーによる記載部分）のみ除いて印刷した書面を配布することを可能とする。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面においてマーカーによって書き込みを行う書込みシートであり、３はこの書込みシートの移動指示や、書込みシートの書込み面を走査し、筆記画像情報の読込みを行う指示、或いは読込んだデータを図示しないプリンタで印刷する指示などを行う操作パネル、４は黒色、緑色、或いは青色のマーカー、５は非印刷が可能な赤色のマーカーである。
尚、非印刷可能マーカー５は他のマーカーと容易に区別が可能となるように、その外面におおきなＸマークが記されている。【００１２】操作パネル３及びこの操作パネル３に接続された処理装置を図２に示す。
操作パネル３上部には表示部６が設けられており、ここには印刷枚数などが表示される。
また、通常の印刷ボタン７と秘密印刷ボタン８、及び筆記シート２を左右に移送するためのシート送りボタン９、及び印刷濃度選択ボタン１０、白黒印刷とカラー印刷の切替を行うための切替ボタン１１が設けられている。【００１３】この操作部３には、処理装置１２（以下ＣＰＵと記す。）が接続されており、このＣＰＵ１２は、シート送り用モータ１３、光源１４、筆記面の画像を読取る撮像装置１５、及び画像メモリ１６に接続されている。尚、ＣＰＵ１２、撮像装置１５、及び画像メモリ１６によって、画像読取り装置１７が構成される。【００１４】通常の印刷ボタン７を押した場合は、ＣＰＵ１２によって、シート送り用モータ１３が駆動され、筆記シート２は移送される。
このシート２の移送と同時に本体の裏面に配置された光源１４が駆動され、筆記面が縦長に部分的に照明される。
この照明された筆記シート面は、画像読取り装置１７によって順次縦長のライン状に読取られ、この読取られた筆記面は連続的に画像メモリ１６に記録される。
また、筆記シート２に筆記された画像を読込むのと同時に、図示しないプリンタに、画像メモリ１６の画像情報は出力され、印刷動作が行われる。【００１５】秘密印刷ボタン８を押した場合は、非印刷可能マーカー５で筆記した部分を除いて筆記面が読取られ、部分的に画像が消去された状態で印刷が行われる。【００１６】秘密印刷の動作を、図３に示したフローチャートを用いて説明する。
先の操作部３で秘密印刷ボタン８が押されると、先の通常の印刷モードと同様に、ＣＰＵ１２によって、シート送り用モータ１３が駆動され、筆記シート２は移送されると同時に本体の裏面に配置された光源１４が駆動され、筆記面が縦長に部分的に照明される。
また、操作部３の印刷濃度設定ボタン１０が押されている場合は、通常より濃く印刷するように、画像の読取り濃度が設定される。
具体的には、通常よりも、読取り時の撮像装置のスレッシュホールド値が低く設定される。【００１７】照明された筆記シート面は、画像読取り装置１５によって順次縦長のライン状に読取られ、この読取られた筆記面は連続的に画像メモリ１６に記録される。
このとき、読取った画素の青色、緑色の成分が所定値以下であり、かつ赤色の成分が所定値以上である場合は、その画素を画像メモリ１６に記録せずに破棄し、これ以外の場合は、画像メモリ１６に記録する。
画像メモリ１６の記録量が所定値を超えたら、その画像情報を、図示しないプリンタに出力する。
筆記シート２の移送が１ページ分終了したら読込み動作を終了すると共に、光源１４を消灯し、シート２の移送が停止される。【００１８】読取り装置１７によって、ライン毎に読取られた画像データは、画像メモリ１６で、合成されて１枚の画像データに構成されると共に、プリンタによるプリント面も合成されて１枚の画像が構成される。【００１９】筆記面は、電子黒板装置本体の裏面に移送されるが、操作パネルの移送ボタンによって、再び、本体表面に移送できる。
通常の印刷ボタンを押した場合は、この筆記面は、非印刷マーカーの筆記部分を含む全てが印刷される。【００２０】本発明は上記一実施例に限定されるものではなく、例えば、非印刷マーカー５は青色、緑色であってもよい。
尚、非印刷マーカーを他の色の成分を踏まない青、緑、赤の三原色の中から色を選ぶことによって、その識別が容易となり、秘密印刷モードが確実に動作可能となる。
しかしながら、識別は若干困難となるが、紫やピンク色であってもよい。また、非印刷マーカーの外形を、他のマーカーより大きくするとか、全体を赤い色で覆うなど、他のマーカーと大きく異ならせてもよい。
【産業上の利用可能性】
【００２１】本発明は、印刷せずに秘密にしたい事柄でも、電子黒板装置上に筆記することが可能となり、電子黒板装置の用途が広がると共に、会議内容の機密管理が容易となる。
【図面の簡単な説明】
【００２２】
【図１】図１は、本発明の実施例の形態に係る構成を示す正面図である。
【図２】図２は、本発明の実施例の形態に係る主要な構成を示すブロック図である。
【図３】図３は、本発明の実施例の秘密印刷ボタンを押した場合の動作を示すフローチャートである。
【符号の説明】
【００２３】２：書込みシート
３：操作パネル
５：第２のマーカー（非印刷可能マーカー）
７：秘密印刷ボタン
１７：読取り装置
【図１】
2008221818.tif 000003
【図２】
2008221818.tif 000004
【図３】
2008221818.tif 000005